(57)【要約】      （修正有）【課題】ブラダー底部を膨らんだ状態に維持することにより、ブラダー底部が押圧されても皺が生じて破裂することを防ぎ、消火用泡原液の注入作業が円滑に行うことが可能なブラダーを収容した原液槽を提供する。【解決手段】原液槽のブラダーは、原液槽タンク２０及びブラダー２１を備える。ブラダー２１の一端には、泡原液を供給するために用いる注入口２２が形成される。原液槽タンク２０上下には、内部と連通した注水口２４及び排水口２５が形成され、ブラダーが原液槽タンク内に収容され、ブラダーの注入口２２とタンク上に形成された開口２０１とが連通し、上下フランジプレート２７，２７’が枢着されて位置決めされる。ブラダーの外側表面周辺の適宜な箇所には、少なくとも１つの支持部２３が設けられる。【選択図】図３
0003203553.tif 000002
【実用新案登録請求の範囲】
【請求項１】
原液槽タンクと該原液槽タンク内に収容されたブラダーとからなる原液槽であって、
前記ブラダーの一端には、泡原液を供給するために用いる注入口が形成され、前記原液槽タンクの上部及び下部には、内部と連通する注水口及び排水口がそれぞれ形成され、前記原液槽タンクの上部及び下部には、内部と連通した前記注水口及び前記排水口が形成され、前記ブラダーの前記注入口と前記タンク上部に形成された開口とが連通し、上部及び下部フランジプレートが枢着されて位置決めされ、
前記ブラダーの外側表面周辺の適宜な箇所には、少なくとも１つの支持部が設けられ、前記支持部により引っ張られて膨らみ、前記原液槽タンクの前記ブラダーに泡原液を注入する際、前記支持部により前記ブラダーが引っ張られて前記ブラダーの底部が適宜膨らみ、泡原液を前記ブラダーの前記注入口から注入する作業が円滑に行われることを特徴とする原液槽。
【請求項２】
前記原液槽タンクには、前記ブラダーの前記支持部に対応した所定の箇所に前記ブラダーを支持して位置決めさせる少なくとも１つの固定支持部が設けられ、前記ブラダーの前記支持部が前記原液槽タンクの前記固定支持部に係合され、引っ張られて膨らむことを特徴とする請求項１に記載の原液槽。
【請求項３】
前記ブラダーの前記支持部は、引き上げ部材を介して前記原液槽タンクのネック又は所定の箇所に設けられた前記固定支持部により支持され、位置決めされることを特徴とする請求項２に記載の原液槽。
【請求項４】
前記ブラダーの前記支持部は、引き上げ部材を介して前記原液槽タンクの前記上下フランジプレート間に接合されて固定されることを特徴とする請求項２に記載の原液槽。
【考案の詳細な説明】
【技術分野】
【０００１】
本考案はブラダーを収容した原液槽に関するものであり、さらに詳しくは、ブラダー底部が膨張状態に維持された原液槽であって、押圧されても皺が生じて破裂することが防止され、消火用泡原液の注入作業が円滑に行うことが可能なブラダーを収容した原液槽に関するものである。
【背景技術】
【０００２】
一般にブラダー１１は、原液槽タンク１０内に収容される。ブラダー１１に泡原液を注入する際、ブラダー１１が原液槽タンク１０内に収容されて一定の高さ及び体積を有するため、原液槽タンク１０の底面に垂れ下がったブラダー１１底部が押圧されて皺の集中部１１１が形成される。そのため泡原液がブラダー１１の注水口１１２を介して上から下方向にかけて注入されて生じる圧力によりブラダー１１が内側から外方向へかけて押圧されて膨張すると、図２に示すようにブラダー１１底部の皺の集中部１１１が圧力を受けて強く引っ張られて破裂する虞がある。このように泡原液の注入が均一となり、原液槽タンク１０内に隔離して収容した水流がブラダー１１に浸み込み、原液槽の消火性能に悪影響を及ぼし、メンテナンスのコストが増えて使用寿命が短くなる虞があった。そのため、上述した問題点を改善する技術が求められていた。
【考案の概要】
【考案が解決しようとする課題】
【０００３】
従って、本考案の主な課題は、従来のブラダーでは、底部に皺が集中して発生し易く、泡原液が注入されて受ける圧力により不適切に開いて膨らみ破裂してしまう欠点を改善し、原液槽タンク内で隔離した水流がブラダーへ浸み込むことを効果的に防ぎ、実用性を高めて原液槽の使用寿命を延ばす、原液槽のブラダーを提供することにある。
【課題を解決するための手段】
【０００４】
上記課題を解決するために本考案者は前記課題を解決するため鋭意検討を重ねた結果、ブラダーの外側表面に支持構造を備えることにより、ブラダー底部において皺の発生を防止することができ、前記課題を解決できることに着目し、その知見巷いて本考案に想到すりに至った。
本考案によれば、原液槽タンク及び原液槽タンク内に収容されたブラダーを備えた原液槽であって、前記ブラダーの一端には、泡原液を供給するために用いる注入口が形成され、前記原液槽タンク上下には、内部と連通する注水口及び排水口がそれぞれ形成され、前記原液槽タンク上下には、内部と連通した前記注水口及び前記排水口が形成され、前記ブラダーの前記注入口と前記タンク上に形成された開口とが連通し、上下部フランジプレートが枢着されて位置決めされ、前記ブラダーの外側表面周辺の適宜な箇所には、少なくとも１つの支持部が設けられ、前記支持部により引っ張られて膨らみ、前記原液槽タンクの前記ブラダーに泡原液を注入する際、前記支持部により前記ブラダーが引っ張られて前記ブラダーの底部が適宜膨らみ、泡原液を前記ブラダーの前記注入口から注入する作業が円滑に行われることを特徴とする原液槽が提供される。
かくして、本考案の要旨は次の通りである。
（１）原液槽タンクと該原液槽タンク内に収容されたブラダーとからなる原液槽であって、前記ブラダーの一端には、泡原液を供給するために用いる注入口が形成され、前記原液槽タンクの上部及び下部には、内部と連通する注水口及び排水口がそれぞれ形成され、前記原液槽タンクの上部及び下部には、内部と連通した前記注水口及び前記排水口が形成され、前記ブラダーの前記注入口と前記タンク上部に形成された開口とが連通し、上下部フランジプレートが枢着されて位置決めされ、
前記ブラダーの外側表面周辺の適宜な箇所には、少なくとも１つの支持部が設けられ、前記支持部により引っ張られて膨らみ、前記原液槽タンクの前記ブラダーに泡原液を注入する際、前記支持部により前記ブラダーが引っ張られて前記ブラダーの底部が適宜膨らみ、泡原液を前記ブラダーの前記注入口から注入する作業が円滑に行われることを特徴とする原液槽。
（２）前記原液槽タンクには、前記ブラダーの前記支持部に対応した所定の箇所に前記ブラダーを支持して位置決めさせる少なくとも１つの固定支持部が設けられ、前記ブラダーの前記支持部が前記原液槽タンクの前記固定支持部に係合され、引っ張られて膨らむことを特徴とする前記（１）に記載の原液槽。
（３）前記ブラダーの前記支持部は、引き上げ部材を介して前記原液槽タンクのネック又は所定の箇所に設けられた前記固定支持部により支持され、位置決めされることを特徴とする前記（２）に記載の原液槽。
（４）前記ブラダーの前記支持部は、引き上げ部材を介して前記原液槽タンクの前記上下フランジプレート間に接合されて固定されることを特徴とする前記（２）に記載の原液槽。
【考案の効果】
【０００５】
本考案は、前記の通りの構成からなり、ブラダー底部に皺が集中することを防止し、適宜、膨張状態に維することができるので、ブラダーに泡原液を円滑に注入することができる。
【図面の簡単な説明】
【０００６】
【図１】図１は、本考案の一実施形態に係る原液槽のブラダーに泡原液が未だ注入されていない状態を示す説明図である。
【図２】図２は、本考案の一実施形態に係る原液槽のブラダーに泡原液を注入した状態を示す説明図である。
【図３】図３は、本考案の一実施形態に係る原液槽のブラダーを示す分解斜視図である。
【図４】図４は、本考案の一実施形態に係る原液槽のブラダーに泡原液が未だ注入されていない状態を示す説明図である。
【図５】図５は、本考案の一実施形態に係る原液槽のブラダーに泡原液を注入した状態を示す説明図である。
【図６】図６は、本考案の一実施形態に係るブラダーを原液槽タンク中に収容し、未だ膨らんでいない状態の説明図である。
【図７】図７は、本考案の一実施形態に係るブラダーを原液槽タンク中に収容し、膨らんだ状態を示す説明図である。
【図８】図８は、本考案の他の実施形態に係る原液槽タンクとブラダーとを組み合わせたときの状態を示す説明図である。
【図９】図９は、本考案のさらに他の実施形態に係る原液槽タンクとブラダーとを組み合わせたときの状態を示す説明図である。
【考案を実施するための形態】
【０００７】
図３を参照する。図３に示すように、本考案の一実施形態に係る原液槽のブラダーは、泡原液の注入を容易かつ迅速に行うことができる。本考案の一実施形態に係る原液槽のブラダーは、原液槽タンク２０及びブラダー２１を含む。ブラダー２１の一端には、泡原液を供給するために用いる注入口２２が形成される。原液槽タンク２０上下には、内部と連通する注入口２２及び排水口２５が形成される。ブラダー２１の外側表面の周辺の適宜な箇所には、少なくとも１つの支持部２３が設けられる。原液槽タンク２０は、固定支持部２６を有し、固定支持部２６に支持部２３が係合されると少なくとも１つのブラダー２１が位置決めされ、原液槽タンク２０内にブラダー２１が収容され、ブラダー２１の注入口２２と原液槽タンク２０上の上部開口２０１とが連通され、上下部フランジプレート２７，２７’を介して枢着され、ブラダー２１の支持部２３が原液槽タンク２０の固定支持部２６に係合されると図４に示すように、ブラダー２１が原液槽タンク２０中に収容されて支持部２３により引っ張られて膨らんだ状態となる。
【０００８】
原液槽タンク２０のブラダー２１に泡原液を注入する際、図５に示すように、支持部２３によりブラダー２１を引っ張ってブラダー２１の底部が適宜膨らむため、泡原液をブラダー２１の注入口２２から注入する作業を円滑に行うことができ、従来、ブラダーを支持しない構造により、底部に皺が集まり易くなって泡原液を注入する際に圧力を受けて不適切に膨らんで破裂してしまい、原液槽タンク２０内で隔離されていた水流がブラダー２１へ浸み込んでしまうことを効果的に防ぐため、本考案は実用性が高くて原液槽の使用寿命を延ばすことができる。
【０００９】
図６及び図７を参照する。図６及び図７に示すように、ブラダー２１を横式の原液槽タンク２０ａに収容し、ブラダー２１の支持部２３を原液槽タンク２０ａの固定支持部２６に係合し、ブラダー２１が原液槽タンク２０ａ中へ収容され、膨らませる。図８を参照する。図８に示すように、ブラダー２１の支持部２３は、引き上げ部材２３１を介して原液槽タンク２０，２０ａのネック又は所定の位置に設けた固定支持部２６を係合して位置決めされ、ブラダー２１が原液槽タンク２０，２０ａ内へ収容され、支持部２３が原液槽タンク２０，２０ａの固定支持部２６に係合されて適宜膨らんだ状態に維持される。図９を参照する。図９に示すように、ブラダー２１の支持部２３は、引き上げ部材２３１を介して原液槽タンク２０，２０ａの上下部フランジプレート２７，２７’間に接合されて固定され、ブラダー２１が原液槽タンク２０，２０ａ内に収容され、その支持部２３が原液槽タンク２０，２０ａの固定支持部２６に係合されて適宜膨らんだ状態に維持される。
【符号の説明】
【００１０】
１０  原液槽タンク
１１  ブラダー
２０  原液槽タンク
２０ａ  原液槽タンク
２１  ブラダー
２２  注入口
２３  支持部
２４  注水口
２５  排水口
２６  固定支持部
２７  上部フランジプレート
２７’  下部フランジプレート
１１１  皺の集中発生部
１１２  注水口
２０１  上部開口
２３１  引き上げ部材
【図１】
0003203553.tif 000003
【図２】
0003203553.tif 000004
【図３】
0003203553.tif 000005
【図４】
0003203553.tif 000006
【図５】
0003203553.tif 000007
【図６】
0003203553.tif 000008
【図７】
0003203553.tif 000009
【図８】
0003203553.tif 000010
【図９】
0003203553.tif 000011